(57)【特許請求の範囲】
【請求項１】
束ねて巻くと熱を発生する可能性のある配線コード，電源コード，延長コード等のコードの余剰部分を巻き付け整理するコード余剰処理装置の使用方法であって、該処理装置は基盤の周縁部に起立した折返し部を複数設けたものであり、該折返し部に上記余剰部分のコードを蛇行状に、かつ交差するように引っ掛けることにより上記余剰部分のコードを互いに密着することなく巻き付けるようにしたコード余剰処理装置の使用方法。
【発明の詳細な説明】
【技術分野】
【０００１】
本発明は、テレビジョン・コンポ・ラジオ・扇風機・ホームコタツなどの家電製品，コンピュータ機器，電話器など各種電気製品の電源コード・配線コード・配線ケーブルなどの各種コードの処理に関するもので、これら余剰部分のコードを整理するコード余剰処理装置の使用方法に係るものである。
【背景技術】
【０００２】
一般家庭あるいは企業の事務所においては、テレビジョン・コンポ・ラジオ・扇風機・ホームコタツなどの家電製品，コンピュータ機器，電話器など各種電気製品が設置されており、これら電気製品の電源コード・配線コード・配線ケーブルなどの各種コード，これら電気製品とコンセントとを接続するための延長コード，テレビのフィーダー線，電話線など無数のコードが複雑に使用されている。
【０００３】
上記のような種々の電気製品に接続されているコードは、通常２．５〜３．０ｍの長さで各種製品に装備されている。このコードは適切な長さに設計されているが、使用場所によっては長すぎたり、あるいは短かすぎたりすることがある。コードが長い場合には、そのまま使用するに支障はないが、余剰部分が生じ、弛みが発生する。
また、逆にコードが短い場合は、延長コードで継ぎ足すことにより使用することが一般的である。この場合、継ぎ足したことにより同様にして延長コードに余剰部分が生じ、弛みが発生する。
【０００４】
このように、上記電気製品に装備されるコードは長くても短くても、いずれの場合であっても余剰部分が生じ、弛みが発生することになる。その余剰部分は、壁に設置されたコンセントの周囲に雑多に放置されていることが多く、これらのコードは、各種電気製品の背面に乱雑にまとめられるか、あるいは紐などで縛り付けてまとめられている。
その為、美観を損ねるとともに、各種コード同士が絡んだり、あるいは混同して配線間違いを起こし易いという問題点を有していた。また、雑多に放置していると、ホコリなどの塵芥が貯まり、コード自体が汚れ易くなる。
【０００５】
特に、企業の事務所内では、パソコンや電話機などの設置台数が多いため、パソコン用配線コード，電話の配線コードなどが、非常に複雑となり、乱雑にまとめられると、上記のような問題は深刻である。
また、大量のコードが一箇所にまとめられると、どのコードがどの機器に繋がっているのか、コードを一本づつ辿りながら確認しなければならず、機器のレイアウト変更とか引越などの場合、作業が非常に面倒になる。
【０００６】
これに対し、次のような考案が提案されている。
【特許文献１】特開２００１−３５０５４５号公報（同公報図１および図２参照）  パーソナルコンピュータあるいはプリンタなど各種機器の背面または側面に配線コードを巻き付ける芯を固定して、該芯に配線コードを巻き付けるようにした発明が提案されている。
【特許文献２】実用新案登録第３０８２１０２号公報（同公報図３参照）  パーソナルコンピュータと周辺機器とを接続する通信配線用コードを収納する巻取り器として、巻取り器中央に巻取り筒を形成し、該巻取り筒に配線を巻き付けるようにした考案が提案されている。
【発明の開示】
【発明が解決しようとする課題】
【０００７】
コンピュータ機器あるいはプリンタなど各種機器の背面または側面に配線コードを巻き付ける芯を固定して、該芯に配線コードを巻き付けるようにした場合には、機器の背面あるいは側面に出っ張りが生じる為、該機器の梱包自体が大きくなるし、通常使用時においても邪魔になるとともに危険である。
また、巻取り器中央に巻取り筒を形成し、該巻取り筒に配線コードを巻き付けるようにした巻取り器の場合は、巻き込んだ状態で適切な長さに調整すると、機器のレイアウト変更とか引越しをした場合には、再度巻き直しをしなければ適切な長さに調整することができず、非常に手間を要するものである。
この問題については、コンピュータ機器についてだけでなく、テレビジョン・コンポ・ラジオ・扇風機・ホームコタツなどの家電製品，電話器など各種電気製品の電源コード・配線コード・配線ケーブルなどの各種コードの処理についても同様である。
【０００８】
そして、これらの考案は、いずれもコードを重ね合わせ束ねるようにして巻き付けるようにしたものであり、巻き付けるための芯や筒にコードを互いに密着して巻き付けている為、コードの許容電流が少なくなり、長時間使用した場合には、発熱し易くなる。その結果、コードの絶縁被覆が溶解し、ショートに至る可能性があるという問題がある。
【０００９】
そこで、本発明は上記した束ねて巻くと熱を発生する可能性のある配線コード，電源コード，延長コード等のコードを互いに密着することなくコードを巻き付け、該コードを最適な長さに容易に調整することが可能で、且つ熱の発生を極力低減することができるコード余剰処理装置の使用方法を提供することを目的とする。
【課題を解決するための手段】
【００１０】
本発明は、束ねて巻くと熱を発生する可能性のある配線コード，電源コード，延長コード等のコードの余剰部分を巻き付け整理するコード余剰処理装置の使用方法であって、該処理装置は基盤の周縁部に起立した折返し部を複数設けたものであり、該折返し部に上記余剰部分のコードを蛇行状に、かつ交差するように引っ掛けることにより上記余剰部分のコードを互いに密着することなく巻き付けるようにしたコード余剰処理装置の使用方法である。
【発明の効果】
【００１１】
上記のように、コード余剰処理装置の基盤の周縁部に起立して折返し部を複数設け、この折返し部に上記余剰部分のコードを蛇行状に、かつ交差するように引っ掛けて使用することにより、配線コード，電源コード，延長コード等の余剰部分のコードが互いに密着することなく、基盤上の折返し部に巻き付けることができるようになり、各種電気製品の背面に乱雑に放置されている各種コード類を簡便に整理することができるようになった。
その結果、各種電気製品の背面を美しく整理することができ、清掃が容易になり、ホコリ・塵芥などが貯まり難くなる。
【００１２】
そして、コードを巻き付ける際に、配線コード，電源コード，延長コード等のコードは、折返し部に蛇行状に、かつ交差するように巻きつけており、お互いに密着して重なり合うことがないので、コードを重合させたことにより生じる可能性のある熱の発生を極力低減することができ、安全に使用可能となった。
【００１３】
また、引越しあるいは部屋内のレイアウト変更により各種機器を移動しても、移動後における各種機器の配線などの選別が容易であり、しかも配線コードなど各種コードの長さ調整を容易に行うことが可能である。
更に、コード余剰処理装置の基盤の形状を動物，乗り物，植物などに形成すれば、部屋の装飾インテリアにもなり、部屋内を明るく和ませることができるとともに、室内を美麗に整理整頓が可能となる。
【発明を実施するための最良の形態】
【００１４】
以下に、本発明の実施形態を図面に基づいて説明する。
図１に本発明によるコード余剰処理装置の最良の形態を示す。同形態は、最もシンプルな実施例を示すものである。
同図において、１はコード余剰処理装置で、該コード余剰処理装置１は、基盤２，折返し部３およびコード支持部４とから成っている。そして、コード余剰処理装置１の基盤２は、本実施例の場合、方形に形成されており、材料は合成樹脂，木材，金属等で成型される。５は余剰部分のコードで、配線コード，電源コード，延長コード等の余剰部分のコードを示す。
【００１５】
折返し部３は、基盤２上の対向する一対の辺の周縁部に起立して盤面に形成され、整理すべき余剰部分のコード５を該折返し部３に蛇行状に、かつ交差するように引っ掛けることにより巻き付ける。そして、該折返し部３は、巻き付けられたコード５が折返し部３からはずれないように、その先端をカギ状に基盤２の外方へ曲折している。これら折返し部３は、基盤周縁部に複数個形成する。
また、本実施例では、折返し部３の先端が、カギ状に形成したものを示したが、引っ掛けたコード５が、この先端部からはずれないよう引っ掛かるような形状であれば、球状，円盤状，多角形状，円錐状等いずれでも良い。また、折返し部３は、基盤２に対し外方に傾斜して起立しておけば、コードがはずれ難くなるという効果が得られることは言うまでもない。
基盤２と折返し部３とは、一体的に形成しても良く、あるいは別個に生成し、これを接着剤等で固着し、一体的に形成しても良い。
【００１６】
次に、基盤２隅部には、コード５を挟持するコード支持部４が、一体的に固着されている。該コード支持部４は、断面略Ｚ字状に形成されており、挟持したコード５を常に基盤２に対し付勢力が働くように基盤２に固着されている。コード支持部４に巻き付けるべき余剰部分のコード５の適切な個所を挟持して固定し、基盤２上に起立した折返し部３に蛇行状に、かつ交差するように引っ掛け、余剰部分のコード５を巻き付ける。基盤２上の折返し部３端部まで、余剰部分のコード５を巻き付け、まだコード５に余剰部分がある場合には、その方向を９０度変更させ、同様にして折返し部３に引っ掛け、余剰部分のコード５を巻き付ける。
このようにして、余剰部分のコード５を巻き付け終えた場合には、余剰部分のコード５の適切な個所をコード支持部４にて挟持し固定する。
【００１７】
次に、余剰部分のコード５をコード余剰処理装置１に巻き付けるための処理操作について、図２により詳細に説明する。
図２は、図１の一部断面平面図である。同図において、例えば、コンセントの周囲にグシャグシャに集められた余剰部分のコード５の適切な個所をコード支持部４１に挟持して固定し、まず折返し部３１に引っ掛けて折返し、次に折返し部３２，３３，３４・・へ順次交互にコード５を蛇行状に引っ掛け巻き付ける。該コード５を同図上辺および下辺の全ての折返し部３１，３２，３３，３４・・に引っ掛け巻き付け終えると、方向変更用の折返し部３５にて巻き付ける方向を９０度変更させ、同図左辺および右辺に起立した折返し部３６，３７，３８，・・３に同様にして順次交互にコードを蛇行状に引っ掛け巻き付ける。このようにして余剰部分のコード５を折返し部３１，３２，・・３５，３６，３７，・・３に引っ掛けて巻き付け、最後に折返し部３１に引っ掛けて、コード５をコード支持部４２に挟持して固定する。
この場合、同図に示すように、折返し部３６，３７，３８，・・３に巻き付けるコード５は、折返し部３２，３３，３４・・に引っ掛けたコード５に対し、交差させて巻き付けられることになる。
【００１８】
上記基盤２の大きさは特定しないが、本実施例において、例えば対向する折返し部３間が約１０ｃｍであるとすれば、折返し部３１，３２，・・３５，３６，３７，・・３の端から端まで全ての折返し部３１，３２，・・３５，３６，３７，・・３に引っ掛けると、巻き付けることができるコード５は、コード支持部４１からコード支持部４２まで、１４回折返されているので、約１４０ｃｍの余剰部分のコード５を整理することが可能になる。
基盤２の一辺の長さを増減すれば、巻き付けることができるコード５の長さが増減することは言うまでもない。従って、コード５の余剰部分の長さに応じた大きさのコード余剰処理装置１を選択して巻き付ければ、よりスッキリと整理することができる。
【００１９】
なお、上記において折返し部３５にて方向変更する旨、説明したが、コード５の余剰部分の長さに応じて、折返し部３５にて方向変更することなく途中で折返し部３１に戻し、コード支持部４２にてコード５を挟持するようにして調整しても良い。
そして、余剰部分のコード５が非常に長く、これを折返し部３１，３２，・・３５，３６，３７，・・３に引っ掛け、更に折返し部３１により９０度方向変更して、同様にして折返し部３１，３２，・・３５，３６，３７，・・３と巻き付け、その余剰部分のコード５を二段に巻き付ければ、余剰部分のコード５が長尺であってもコード５を短くまとめて巻き付けることができることとなる。このように二段に巻き付けても、前記と同様に折返し部３２，３３，３４・・に引っ掛けたコード５と折返し部３６，３７，３８，・・３に巻き付けるコード５とは、互いに重合することなく交差させて巻き付けられる。
また、折返し部３の起立位置は、基本的には対向して設置されているが、図２に示すように交互にずらすことにより、該折返し部３に巻き付け張設するコード５をバランス良く均等に巻き付けることができる。
【００２０】
図３は、上記実施例において、余剰部分のコード５を巻き付けコード余剰処理装置１に、該巻き付けコード５がはずれないように安定化させるため、また塵芥などのコード５への付着を防止するための保護カバーを付けた実施例を示す平面図である。
同図において、６は保護カバーで、該保護カバー６は一点鎖線で示している。同図示のように、保護カバー６には前記折返し部３に対応する位置に穴７を形成しており、コード余剰処理装置１に余剰部分のコード５を巻き付けた後、該保護カバー６を付けることにより、コード５を基盤２に押さえ込み、コード５が折返し部３よりはずれ難くして、覆い包み込むようにしたものである。
【００２１】
該保護カバー６を付けることにより、ホコリ，塵芥などの付着を防止できるとともに、劣化を防止することができる。
なお、該保護カバー６は、基盤２盤面に起立した折返し部３に対応して穴７を形成したものを示したが、基盤２側壁に係止したバンド状のもので、コード５を覆い込むようにしても良い。
また、同図は、最良の形態に適用したものを示したが、以下に説明する他の実施例にも適用できることは言うまでもない。なお、これらの実施例における余剰部分のコード５をコード余剰処理装置に巻き付けるための処理操作については、上記最良の形態で説明したものと実質的に同じであり、詳細な説明を省略する。
【実施例１】
【００２２】
図４は、本発明によるコード余剰処理装置１の他の実施例１を示す。本実施例によるコード余剰処理装置１は、基盤２の形状を長方形にしたもので、基盤２長辺側の盤面周縁部にお互いに対向して折返し部３を形成したものである。上記基盤２短辺の長さが前記実施例の各辺の長さと同じであるとした場合、同実施例と比較して、余剰部分のコード５をより長く巻き付けることができることになる。
その他、前記実施例と同じ符号を付したものについては、実質的に同じであり、詳細な説明を省略する。
【実施例２】
【００２３】
図５は、本発明によるコード余剰処理装置１の実施例２を示す。本実施例によるコード余剰処理装置１は、基盤２が円形であるものを示し、余剰部分のコード５の適切な個所を支持部４に挟持して固定し、基盤２の周縁部に形成した折返し部３に順次巻き付けたものである。
同図に示すように、上記コード５は互いに交差するが、重なり合うことなく巻き付けられる。
基盤２の中央部には、穴１６が形成されており、余剰部分のコード５が非常に長尺である場合に、本実施例によるコード余剰処理装置１を複数個準備し、余剰部分のコード５を巻き付けたコード余剰処理装置１を複数個積み重ね、該穴１６に支柱を挿通させることにより整理するようにしたものである。
【実施例３】
【００２４】
次に、図６〜９は基盤２の種々の変形例を示し、それぞれの概略側面図である。
図６は、コード余剰処理装置１の基盤２がマウスの形にしたものを示す。本実施例によるコード余剰処理装置１は、同図示のマウスの形状に限らず、亀・ハリネズミなどの動物や甲虫・テントウ虫・蝉などの昆虫等いずれの形状にしても良い。
その他、前記実施例と同じ符号を付したものについては、実質的に同じであり、詳細な説明を省略する。
【００２５】
図７は、コード余剰処理装置１の基盤２がカマボコの形にしたものを示す。本実施例によるコード余剰処理装置１は、同図示のカマボコの形状に限らず、野菜，果物，花等いずれの形状にしても良い。
その他、前記実施例と同じ符号を付したものについては、実質的に同じであり、詳細な説明を省略する。
【００２６】
図８は、コード余剰処理装置１の基盤２を自動車の形にしたものを示す。本実施例によるコード余剰処理装置１は、同図示の自動車の形状に限らず、飛行機，船舶，鉄道車両，バス等などいずれの乗り物の形状にしても良い。
その他、前記実施例と同じ符号を付したものについては、実質的に同じであり、詳細な説明を省略する。
【００２７】
図９は、コード余剰処理装置の基盤２を魚のマンボウの形にしたものを示す。本実施例によるコード余剰処理装置１は、同図示のマンボウの形状に限らず、鯛，ヒラメ，カレイ，ハリセンボン，エンゼルフィッシュ，イルカ，クジラ等いずれの形状にしても良い。
その他、前記実施例と同じ符号を付したものについては、実質的に同じであり、詳細な説明を省略する。
【００２８】
上記したように種々形状のバリエーションのものが考えられるものであり、これらの実施例に限定するものではなく、思想を同じくするものであれば、どのような形状であっても良いことは言うまでもない。このように形成すれば、室内のインテリアの一部になり、美観上も非常に良くなる。
【００２９】
電源コード，配線コード，延長コード等種々のコードは、用途により太さが異なる。コードの太さに応じ、大きさの異なる基盤を適用し、且つ折返し部の間隔や本数の異なるコード余剰処理装置を準備しておけば、それぞれに対応して使用することにより、整理が容易になる。
また、図示しないが、前記コード支持部４に対向する位置の基盤２にフックを一体的に形成しておけば、壁あるいはデスク側壁等に吊架することにより、床面に放置することなく、よりスッキリと整理することができる。
あるいは、基盤２に磁石を固着、または埋設しておくことにより、オフィスのスチール製机あるいはキャビネット等の側壁に磁着させることにより、同様にしてスッキリと整理することができる。
【００３０】
コード５の挟持方法については、上記実施例のように断面略Ｚ字状のコード支持部４を基盤２の端部に形成したものを示したが、これに限定するものではなく、コード５が折返し部３よりはずれないように固定できるものであれば、いずれでも良い。
【産業上の利用可能性】
【００３１】
特になし。
【図面の簡単な説明】
【００３２】
【図１】本発明によるコード余剰処理装置の最良の形態を示す斜視図である。
【図２】図１の一部断面平面図である。
【図３】本発明によるコード余剰処理装置で、巻き付けたコードを安定化するための保護カバーを付けた状態を示す一部断面平面図である。
【図４】本発明によるコード余剰処理装置の実施例１で基盤が長方形のものを示す一部断面平面図である。
【図５】本発明によるコード余剰処理装置の実施例３で基盤が円形のものを示す一部断面平面図である。
【図６】本発明による基盤の変形例を示し、基盤がマウス形状のものを示す概略側面図である。
【図７】本発明による基盤の変形例を示し、基盤がカマボコ形状のものを示す概略側面図である。
【図８】本発明による基盤の変形例を示し、基盤が自動車形状のものを示す概略側面図である。
【図９】本発明による基盤の変形例を示し、基盤がマンボウ形状のものを示す概略側面図である。
【符号の説明】
【００３３】
１      コード余剰処理装置
２      基盤
３，３１，３２，３３，３４，３５，３６，３７，３８    折返し部
４，４１，４２      コード支持部
５      余剰部分のコード
６      保護カバー
【図１】
0004067486.tif 000002
【図２】
0004067486.tif 000003
【図３】
0004067486.tif 000004
【図４】
0004067486.tif 000005
【図５】
0004067486.tif 000006
【図６】
0004067486.tif 000007
【図７】
0004067486.tif 000008
【図８】
0004067486.tif 000009
【図９】
0004067486.tif 000010